(57)【特許請求の範囲】
【請求項１】
光源モジュールと、前記光源モジュールが前面に取り付けられる取付板と、透光性を有し、前記光源モジュールを前方から覆うようにして前記取付板の前面に取り付けられているカバーとを有し、
前記光源モジュールは、長尺の基板と、前記基板の表面に実装されている複数の固体光源とを有し、前記基板は、厚み方向に貫通する複数の取付孔を有し、前記複数の取付孔は、前記基板の長手方向に沿って並ぶように配置されており、
前記取付板は、複数の取付部を有し、前記複数の取付部はそれぞれ、前記基板が有する前記複数の取付孔のうちの対応する取付孔に挿通され、前記基板が前記長手方向に沿って移動することで前記基板を前記厚み方向に沿って挟むように構成され、
前記カバーは、前方から見て前記光源モジュールを覆う長尺のカバー本体と、前記カバー本体の長手方向の端に配置されているカバーエンドとを有し、
前記カバーエンドは、前記基板の前記長手方向の端に当たって前記基板の移動を規制する規制部を備えていることを特徴とする光源ユニット。
【請求項２】
前記カバーエンドは、前記厚み方向に沿って前記基板の表面に当たる押さえ部を有することを特徴とする請求項１記載の光源ユニット。
【請求項３】
前記押さえ部は、前記規制部から突出するように構成されていることを特徴とする請求項２記載の光源ユニット。
【請求項４】
前記取付板は、前記光源モジュールに通電するための電線が挿通される挿通孔を有し、
前記カバーエンドは、前記挿通孔の周囲を囲むように構成され、
前記電線が挿通されている状態で前記挿通孔を塞ぐ蓋を有していることを特徴とする請求項１〜３のいずれか１項に記載の光源ユニット。
【請求項５】
請求項１〜４のいずれか１項に記載の光源ユニットと、前記光源ユニットを支持する器具本体とを有することを特徴とする照明器具。
【発明の詳細な説明】
【技術分野】
【０００１】
本発明は、光源ユニット及び照明器具に関し、より詳細には、固体光源を有する光源ユニット、及び当該光源ユニットを備えた照明器具に関する。
【背景技術】
【０００２】
従来例として、特許文献１記載の照明器具がある。特許文献１記載の照明器具は、器具本体と、器具本体に取り付けられる光源ブロックとを備えている。光源ブロックは、３つの光源ユニット、取付板、２つの反射部材などを備えている。光源ユニットは、多数の発光ダイオードが表面に実装された基板、基板が取り付けられる取付部材、基板を覆うようにして取付部材に取り付けられるカバーなどを有している。
【０００３】
これら３つの光源ユニットのそれぞれの取付部材は、互いに一定の間隔を空けて取付板に取り付けられている。取付部材は、複数の切り起こし片を有している。これらの切り起こし片は、鈎形に形成されている。光源ユニットの基板は、これらの切り起こし片がそれぞれ挿通される複数の貫通孔を有している。複数の切り起こし片のそれぞれは、複数の貫通孔のうちの対応する貫通孔に挿通された後、発光ダイオードから遠ざかる向きに曲げられることにより、取付部材との間に基板を挟み込んで固定している。
【先行技術文献】
【特許文献】
【０００４】
【特許文献１】特開２０１５−１４１７６２号公報
【発明の概要】
【発明が解決しようとする課題】
【０００５】
ところで、照明器具の製造工程の簡素化に際して、取付部材に対する基板の取付作業の簡素化が望まれている。しかしながら、特許文献１記載の光源ブロック（光源ユニット）の構造では、取付部材（取付板）に対する基板（光源モジュール）の取付作業の簡素化を図ることが困難であった。
【０００６】
本発明の目的は、取付板に対する光源モジュールの取付作業の簡素化を図ることができる光源ユニット及び照明器具を提供することである。
【課題を解決するための手段】
【０００７】
本発明の一態様に係る光源ユニットは、光源モジュールと、前記光源モジュールが前面に取り付けられる取付板と、透光性を有し、前記光源モジュールを前方から覆うようにして前記取付板の前面に取り付けられているカバーとを有している。前記光源モジュールは、長尺の基板と、前記基板の表面に実装されている複数の固体光源とを有している。前記基板は、厚み方向に貫通する複数の取付孔を有している。前記複数の取付孔は、前記基板の長手方向に沿って並ぶように配置されている。前記取付板は、複数の取付部を有している。前記複数の取付部はそれぞれ、前記基板が有する前記複数の取付孔のうちの対応する取付孔に挿通され、前記基板が前記長手方向に沿って移動することで前記基板を前記厚み方向に沿って挟むように構成されている。前記カバーは、前方から見て前記光源モジュールを覆う長尺のカバー本体と、前記カバー本体の長手方向の端に配置されているカバーエンドとを有している。前記カバーエンドは、前記基板の前記長手方向の端に当たって前記基板の移動を規制する規制部を備えている。
【０００８】
本発明の一態様に係る照明器具は、前記光源ユニットと、前記光源ユニットを支持する器具本体とを有する。
【発明の効果】
【０００９】
本発明の光源ユニット及び照明器具は、取付板に対する光源モジュールの取付作業の簡素化を図ることができるという効果がある。
【図面の簡単な説明】
【００１０】
【図１】図１は、本発明の一実施形態に係る照明器具の斜視図である。
【図２】図２は、同上の照明器具の分解斜視図である。
【図３】図３は、本発明の一実施形態に係る光源ユニットの分解斜視図である。
【図４】図４は、同上の光源ユニットの上方から見た斜視図である。
【図５】図５は、同上の光源ユニットのカバー本体を外した状態の一部分の斜視図である。
【図６】図６は、同上の光源ユニットの一部分の斜視図である。
【発明を実施するための形態】
【００１１】
本発明の一実施形態に係る光源ユニット及び照明器具について、図面を参照して詳細に説明する。なお、以下に説明する実施形態の照明器具は、天井に設けられた孔に埋め込まれるようにして天井に取り付けられる照明器具を例示するが、実施形態の照明器具は、天井に直付けされる照明器具であってもかまわない。また、以下の説明では、特に断りのない限り、図１に示す向きにおいて、光源ユニット及び照明器具の上下、左右、前後の各方向を規定する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１２】
本実施形態の照明器具１は、図１及び図２に示すように光源ユニット２と、器具本体１０とで構成される。器具本体１０は、例えば、吊りボルトに固定され、天井に設けられた孔に埋め込まれるようにして天井に取り付けられる。光源ユニット２は、器具本体１０に対して着脱可能に取り付けられる。
【００１３】
器具本体１０は、角筒状の枠体１１と、矩形平板状のベース板１２とが結合されることにより、下面が開放された矩形箱状に形成されている。ベース板１２は、給電用の電源線が挿通される挿通孔１２０が設けられている。挿通孔１２０に挿通される電源線は、ベース板１２の下面に固定される端子台１３に電気的に接続される。端子台１３は、図示しない接続部に電線の一端が接続される。そして、この電線の他端が、電源装置７（図４参照）に電気的に接続される。ゆえに、外部電源（商用の交流電源など）から端子台１３を介して電源装置７に交流電力が給電される。また、ベース板１２は、図示しない吊りボルトが挿通される複数（図示例では３つ）のボルト挿通孔１２１が前後方向に一列に並べて設けられている（図２参照）。また、枠体１１の左右両側には、いわゆるラッチ１４が前後方向に間隔を空けて２つずつ取り付けられている（図２参照）。そして、後述するように、これら４つのラッチ１４によって光源ユニット２が器具本体１０に取り付けられている。また、枠体１１の後の側面に角穴からなる引掛孔１１０が設けられている（図２参照）。
【００１４】
光源ユニット２は、図２及び図３に示すように、３つの光源モジュール３と、２つの反射部材４と、取付板６とを有している。さらに、光源ユニット２は、図４に示すように、３つのカバー５と、電源装置７と、引掛金具８とを有することが好ましい。
【００１５】
取付板６は、鋼板などの金属板によって矩形に形成されている。取付板６の左端及び右端から、一対の支持部６２がそれぞれ曲げ起こされている（図４参照）。これら一対の支持部６２はそれぞれ、縦片６２０と横片６２１を有している。縦片６２０は、矩形板状であって、取付板６の左端の縁及び右端の縁から上向きに立ち上がっている。横片６２１は、矩形板状であって、縦片６２０の上端から取付板６に近付く向きに、取付板６の上面とほぼ平行に突出している。さらに、横片６２１は、横片６２１の長手方向の両端及び中央よりも幅の広い、一対の幅広部６２２を有している。一対の幅広部６２２はそれぞれ、角孔からなる固定孔６２３が設けられている。なお、取付板６の左右両端において、一対の支持部６２がそれぞれ有している一対の幅広部６２２と対向する位置に、合計４つの操作孔６３が開口している。これら４つの操作孔６３はそれぞれ、人の拳が挿通可能な大きさに形成されることが好ましい。
【００１６】
引掛金具８は、取付板６の上面における後端寄りの左右方向の中央から、取付板６の後方に突出している（図４参照）。引掛金具８の後端部分が器具本体１０（の枠体１１）に設けられている引掛孔１１０に挿通され、引掛孔１１０の縁に引っ掛かるように構成されている。
【００１７】
電源装置７は、プリント配線板に電子部品が実装されて構成される電源回路と、前記電源回路を収容するケース７０とを有する（図４参照）。電源回路は、例えば、電源線を介して供給される交流電圧を昇圧する昇圧チョッパ回路、昇圧チョッパ回路の出力電圧（直流電圧）を降圧する降圧チョッパ回路、昇圧チョッパ回路及び降圧チョッパ回路を制御する制御回路などで構成されることが好ましい。ケース７０は、図４に示すように、金属製の板材によって長尺の箱状に形成されている。電源装置７は、ケース７０の長手方向の両端部分が取付板６の上面にねじ止めされることによって、取付板６に取り付けられている（図３参照）。
【００１８】
３つの光源モジュール３は全て同じ構成を有しているので、１つの光源モジュール３について説明する。光源モジュール３は、図３に示すように、長尺の基板３０と、基板３０の表面（下面）に実装されている複数の固体光源と、コネクタ３２とを有している。複数の個体光源はそれぞれ、白色光を放射する発光ダイオード（ＬＥＤ：Light Emitting Diode）３１である。これら複数のＬＥＤ３１は、基板３０の下面において、基板３０の長手方向（左右方向）に沿って等間隔かつ２列に並ぶように配置されて実装されている。また、基板３０の下面における左端にコネクタ３２が実装されている。コネクタ３２は、基板３０の下面に形成されている導体（銅はく）を介して、複数のＬＥＤ３１のそれぞれと電気的に接続されている。なお、コネクタ３２は、電線７１（図５参照）の先端に設けられているプラグと抜き差し可能に接続される。なお、電線７１は、電源装置７と電気的に接続されており、電源装置７から出力される直流電流を光源モジュール３に供給している。
【００１９】
３つの光源モジュール３はそれぞれ、基板３０の長手方向を取付板６の左右方向に一致させ、取付板６の前後方向に等間隔に並んだ状態で取付板６の下面に取り付けられている（図３参照）。より詳細には、基板３０は、厚み方向（上下方向）に貫通する複数（６つ）の取付孔３３を有している。これら６つの取付孔３３のうちの３つの取付孔３３が、基板３０の長手方向（左右方向）に沿って等間隔に並ぶように、基板３０の前端に配置されている。また、６つの取付孔３３のうちの残り３つの取付孔３３が、基板３０の長手方向（左右方向）に沿って等間隔に並ぶように、基板３０の後端に配置されている。なお、これら６つの取付孔３３は角孔からなり、長手方向を基板３０の長手方向に一致させる向きに設けられている（図３参照）。そして、これらの取付孔３３のそれぞれに、取付板６に設けられている複数の取付部６０が１つずつ挿通されている。複数の取付部６０はそれぞれ、取付板６が鈎形に切り起こされて形成されている。基板３０は、６つの取付孔３３のそれぞれに取付部６０が１つずつ挿通された状態で、（基板３０の）長手方向（左右方向）に移動させられることにより、複数の取付部６０のそれぞれと取付板６の間に挟まれて取付板６に取り付けられている（図３及び図５参照）。
【００２０】
３つのカバー５は全て同じ構成を有しているので、１つのカバー５について説明する。カバー５は、図３に示すように、カバー本体５０と、２つのカバーエンド５１とを有している。さらに、カバー本体５０は、本体部５００と、一対の突片５０１とを有している。本体部５００は、概ね半円筒形状に形成されている。一対の突片５０１はそれぞれ、矩形板状に形成されている。また、一対の突片５０１はそれぞれ、本体部５００の前端及び後端から互いに近付く向きに突出している。一対の突片５０１のそれぞれの長手方向（左右方向）の長さは、本体部５００の長手方向の長さにほぼ等しいことが好ましい。なお、本体部５００と一対の突片５０１は、アクリル樹脂やポリカーボネート樹脂などの透光性及び弾性を有する合成樹脂の成形体として一体に形成されることが好ましい。
【００２１】
カバー本体５０の一対の突片５０１はそれぞれ、取付板６に設けられている複数（図示例では１２個）の引掛部６１のうちの対応する引掛部６１に引っ掛けられる（図３参照）。複数の引掛部６１はそれぞれ、鉤形に形成されている。また、１２個の引掛部６１のうちの半分（６個）の引掛部６１はそれぞれ、光源モジュール３の前方に、光源モジュール３の長手方向（左右方向）に沿って１列に並ぶように配置されている。さらに、１２個の引掛部６１のうちの残り半分（６個）の引掛部６１はそれぞれ、光源モジュール３の後方に、光源モジュール３の長手方向（左右方向）に沿って１列に並ぶように配置されている（図３参照）。これら１２個の引掛部６１はそれぞれ、取付板６の下面との間に空間を形成している。カバー本体５０の前方の突片５０１は、光源モジュール３の前方に配置されている６個の引掛部６１のそれぞれが取付板６の下面との間に形成している空間に挿入される。また、カバー本体５０の後方の突片５０１は、光源モジュール３の後方に配置されている６個の引掛部６１のそれぞれが取付板６の下面との間に形成している空間に挿入される。このようにカバー本体５０は、一対の突片５０１のそれぞれが６個の引掛部６１に引っ掛けられることで取付板６（の下面）に取り付けられている（図３参照）。
【００２２】
カバーエンド５１は、アクリル樹脂やポリカーボネート樹脂などの透光性及び弾性を有する合成樹脂の成形体で構成され、主壁部５１０、一対のベース部５１１、周壁部５１２、一対の取付爪５１３及び一対の押さえ部５１４を一体に有している（図３及び図５参照）。主壁部５１０は、概ね半円形状に形成されている。一対のベース部５１１はそれぞれ、矩形板状に形成されている。一対のベース部５１１はそれぞれ、主壁部５１０の上端から主壁部５１０の厚み方向（左右方向）に沿って突出している。なお、一対のベース部５１１は、距離を空けて、主壁部５１０の上端における前後両端に配置されている。周壁部５１２は、主壁部５１０の周縁に沿ってベース部５１１と同じ側に突出し、かつ、湾曲した板状に形成されている（図３参照）。一対の取付爪５１３はそれぞれ、概ね鈎形に形成されている。また、一対の取付爪５１３はそれぞれ、一対のベース部５１１のうちの対応するベース部５１１の上面と対向し、かつ、対応するベース部５１１の上面との間に隙間を形成している。一対の押さえ部５１４はそれぞれ、帯状に形成されている。また、一対の押さえ部５１４はそれぞれ、対応するベース部５１１の下面から、主壁部５１０の厚み方向（左右方向）に突出している。
【００２３】
カバーエンド５１は、一対の取付爪５１３によって取付板６に取り付けられている。より詳細には、一対の取付爪５１３のそれぞれと、対応するベース部５１１の上面との間の隙間に取付板６が差し込まれることにより、カバーエンド５１が取付板６に取り付けられている（図３及び図４参照）。ただし、取付板６は、カバーエンド５１が取り付けられる場所に、左右方向に伸びた複数の切欠溝６４が形成されている（図３参照）。すなわち、カバーエンド５１の一対の取付爪５１３の一部が、これらの切欠溝６４に挿通されている。なお、一つのカバーエンド５１のそれぞれの周壁部５１２は、カバー本体５０の長手方向（左右方向）の端部とかん合されている（図３参照）。
【００２４】
２つの反射部材４はそれぞれ、取付板６の下面において隣合う３つの光源モジュール３の間にそれぞれ生じる２箇所のスペースのうちの対応するスペースに配置される（図１〜図３参照）。２つの反射部材４はそれぞれ、反射板４０と、複数（図示例では４つ）の突部４１とを有している。さらに、２つの反射部材４はそれぞれ、一対の側板４２を有することが好ましい。反射板４０は、帯状の金属板の短手方向の中央が金属板の長手方向に沿ってＶ字状に曲げられて構成されている。一対の側板４２はそれぞれ、幅（上下方向に沿った幅）の狭い矩形板状に形成され、反射板４０の前後両側の上端から上向きに突出している（図３参照）。４つの突部４１はそれぞれ、側板４２よりも幅が広く、かつ、長手方向（左右方向）の寸法が短い矩形板状に形成されている。そして、４つの突部４１のうちの２つの突部４１はそれぞれ、反射板４０の前側の上端における左右の両端近くから上向きに突出している。また、４つの突部４１のうちの残り２つの突部４１はそれぞれ、反射板４０の後側の上端における左右の両端近くから上向きに突出している。なお、反射板４０と４つの突部４１と一対の側板４２は、金属板が加工されることで一体に形成されることが好ましい。さらに、少なくとも反射板４０及び一対の側板４２の表面（反射面）は、白色の塗料などで塗装されていることが好ましい。
【００２５】
４つの突部４１はそれぞれ、第１引掛孔４１０と、第２引掛孔４１１とを有している（図３、図４及び図６参照）。第１引掛孔４１０は、上下方向の幅よりも左右方向の幅の方が広い角孔である。また、第２引掛孔４１１は、上下方向の幅よりも左右方向の幅の方が狭い角孔である。第１引掛孔４１０と第２引掛孔４１１とは、左右方向に並ぶように配置されている。これら４つの突部４１はそれぞれ、４つの突部４１に一対一に対応して設けられている挿通孔６５に挿通されている（図３及び図４参照）。
【００２６】
一方、取付板６は、複数（図示例では８つ）の挿通孔６５と、複数の挿通孔６５と一対一に対応する複数（図示例では８つ）の固定部６６とを有している（図４及び図６参照）。８つの挿通孔６５はそれぞれ、前後方向の幅よりも左右方向の幅の方が広い角孔であり、取付板６を厚み方向（上下方向）に貫通している。なお、８つの挿通孔６５は、前後方向に沿って４列に並び、左右方向に沿って２列に並ぶように配置されている（図４参照）。８つの固定部６６はそれぞれ、取付板６から上向きに切り起こされて形成されている（図６参照）。つまり、８つの挿通孔６５はそれぞれ、対応する固定部６６が切り起こされた後に生じる孔で構成されている。また、８つの固定部６６はそれぞれ、第１固定爪６６０と、第２固定爪６６１とを有している。第１固定爪６６０は、台形状に形成されている（図６参照）。第１固定爪６６０は、固定部６６の上端から取付板６の上面と平行に突出している。第２固定爪６６１は、三角形状に形成されている（図６参照）。第２固定爪６６１は、固定部６６の側面から取付板６の上面と垂直に突出している。
【００２７】
突部４１が取付板６の下面側から挿通孔６５に挿通されると、固定部６６が突部４１に押されて撓んだ後、第１固定爪６６０が突部４１の第１引掛孔４１０に挿通され、第２固定爪６６１が突部４１の第２引掛孔４１１に挿通される。そして、第１固定爪６６０が第１引掛孔４１０の縁に引っ掛かり、第２固定爪６６１が第２引掛孔４１１の縁に引っ掛かることによって、突部４１が固定部６６に固定される（図４及び図６参照）。ここで、突部４１と固定部６６は、例えば、ねじ締めなどの方法で固定されてもよい。
【００２８】
次に、本実施形態の光源ユニット２の組立手順を説明する。組立作業を行う作業者は、取付板６の下面に３つの光源モジュール３をそれぞれ取り付ける。つまり、作業者は、基板３０の６つの取付孔３３のそれぞれに、対応する取付部６０を１つずつ挿通した後、基板３０を長手方向に沿って移動させ、６つの取付部６０のそれぞれと取付板６の間に基板３０を挟むことで光源モジュール３を取付板６に取り付ける。そして、作業者は、取付板６に設けられている挿通孔６７に電線７１を挿通し、電線７１の先端に設けられているプラグを、光源モジュール３のコネクタ３２に差込接続する。ここで、作業者は、電線７１が挿通されている挿通孔６７を蓋２０で塞ぐ。蓋２０は、例えば、ウレタンゴムのような弾性を有する材料によって矩形のシート状に形成されている。また、蓋２０は切り込み２００が設けられている。作業者は、挿通孔６７に挿通した電線７１を切り込み２００に挟み込んだ状態で蓋２０を取付板６の下面に貼り付けて挿通孔６７を塞いでいる（図５参照）。
【００２９】
続いて、作業者は、カバーエンド５１を取付板６に取り付ける。カバーエンド５１が取付板６に取り付けられると、カバーエンド５１の一対のベース部５１１の先端が光源モジュール３の基板３０の端面（長手方向の両端の端面）に当たる（図５参照）。したがって、光源モジュール３（の基板３０）は、一対のカバーエンド５１（のベース部５１１）によって長手方向の移動が規制される。そのため、取付板６の取付部６０は、基板３０の取付孔３３に対して抜け止めされる。つまり、本実施形態の光源ユニット２では、一対のベース部５１１が規制部に相当する。このように本実施形態の光源ユニット２は、基板３０を取付板６の下面に沿って移動させた後、取付板６にカバーエンド５１を取り付けることで光源モジュール３を取付板６に取り付けることができる。その結果、本実施形態の光源ユニット２は、例えば、特許文献１記載の従来例と比較して、取付板６に対する光源モジュール３の取付作業の簡素化を図ることができる。また、カバーエンド５１は、一対の押さえ部５１４によって光源モジュール３（の基板３０）を取付板６の方へ押さえている（図５参照）。そのため、一対の押さえ部５１４によって基板３０の反りを矯正することができる。さらに、一対の押さえ部５１４はそれぞれ、対応するベース部５１１から突出するように構成されている。ゆえに、一対の押さえ部５１４で基板３０を押さえることにより、一対のベース部５１１の先端を基板３０の端面に確実に当てることができる。ここで、カバーエンド５１は、取付板６に取り付けられた状態において、主壁部５１０と一対のベース部５１１とで、電線７１が挿通されている挿通孔６７及び蓋２０の周囲を囲んでいる（図５参照）。
【００３０】
そして、作業者は、一方の突片５０１を、光源モジュール３の後方に１列に並ぶ６つの引掛部６１に引っ掛けた後、カバー本体５０を撓ませながら、他方の突片５０１を、光源モジュール３の前方に１列に並ぶ６つの引掛部６１に引っ掛ける。このようにして、作業者は、３つのカバー本体５０のそれぞれを取付板６の下面に取り付ける。
【００３１】
続いて、作業者は、反射板４０を前後方向に押して撓ませながら、反射部材４の４つの突部４１のそれぞれを対応する挿通孔６５に挿通した後、反射板４０を前後方向に押すことを止める。反射板４０が撓んだ状態から元に戻ると、４つの突部４１のそれぞれの第１引掛孔４１０に固定部６６の第１固定爪６６０が挿通され、４つの突部４１のそれぞれの第２引掛孔４１１に固定部６６の第２固定爪６６１が挿通される。そして、第１固定爪６６０が第１引掛孔４１０の縁に引っ掛かり、第２固定爪６６１が第２引掛孔４１１の縁に引っ掛かることによって、突部４１が固定部６６に固定される。このようにして、２つの反射部材４のそれぞれが取付板６の下面に取り付けられる。作業者は、以上のようにして、光源ユニット２を組み立てることができる。ただし、上述した組立手順は一例に過ぎず、例えば、光源モジュール３及びカバー５よりも先に、反射部材４が取付板６に取り付けられてもよい。あるいは、カバーエンド５１よりも先に、カバー本体５０が取付板６に取り付けられてもよい。
【００３２】
次に、本実施形態の照明器具１の施工手順を説明する。施工作業を行う施工者は、ベース板１２の挿通孔１２０から電源線を引き込んだ後、天井に設けられている埋込孔に器具本体１０を挿入し、ベース板１２のボルト挿通孔１２１に挿通した吊りボルトにナットを締め付けて器具本体１０を吊りボルトに取り付ける。さらに、施工者は、挿通孔１２０から引き込んだ電源線を端子台１３に電気的に接続する。
【００３３】
続いて、施工者は、２つの反射部材４を取付板６から取り外した後、引掛金具８を枠体１１の引掛孔１１０に挿通し、引掛孔１１０の縁に引掛金具８を引っ掛けることにより、光源ユニット２を器具本体１０に吊り下げる。この状態で、施工者は、端子台１３から引き出されている電線を電源装置７に電気的に接続する。その後、施工者は、光源ユニット２を持ち上げて器具本体１０内に収容する。このとき、施工者は、取付板６の４つの支持部６２のそれぞれの固定孔６２３にラッチ１４のつまみを挿通する。それから、施工者は、取付板６の操作孔６３に手を入れて４つのラッチ１４のそれぞれのつまみを９０度回転させる。その結果、光源ユニット２（の取付板６）が、４つのラッチ１４によって器具本体１０に支持される。最後に、施工者は、取付板６に２つの反射部材４をそれぞれ取り付ける。以上のようにして、本実施形態の照明器具１の施工作業が完了する。
【００３４】
上述のように本実施形態の光源ユニット２は、光源モジュール３と、光源モジュール３が前面（下面）に取り付けられる取付板６とを有している。また、本実施形態の光源ユニット２は、透光性を有し、光源モジュール３を前方から覆うようにして取付板６の下面に取り付けられているカバー５を有している。光源モジュール３は、長尺の基板３０と、基板３０の下面に実装されている複数の固体光源（ＬＥＤ３１）とを有している。基板３０は、厚み方向（上下方向）に貫通する複数の取付孔３３を有している。複数の取付孔３３は、基板３０の長手方向に沿って並ぶように配置されている。取付板６は、複数の取付部６０を有している。複数の取付部６０はそれぞれ、基板３０が有する複数の取付孔３３のうちの対応する取付孔３３に挿通され、基板３０が長手方向に沿って移動することで基板３０を厚み方向に沿って挟むように構成されている。カバー５は、前方（下方）から見て光源モジュール３を覆う長尺のカバー本体５０と、カバー本体５０の長手方向の端に配置されているカバーエンド５１とを有している。カバーエンド５１は、基板３０の長手方向の端に当たって基板３０の移動を規制する規制部（ベース部５１１）を備えている。
【００３５】
また、本実施形態の照明器具１は、光源ユニット２と、光源ユニット２を支持する器具本体１０とを有する。
【００３６】
本実施形態の光源ユニット２が上述のように構成されれば、基板３０を取付板６の下面に沿って移動させた後、取付板６にカバーエンド５１を取り付けることで光源モジュール３を取付板６に取り付けることができる。その結果、本実施形態の光源ユニット２は、例えば、特許文献１記載の従来例と比較して、取付板６に対する光源モジュール３の取付作業の簡素化を図ることができる。さらに、本実施形態の照明器具１もまた、光源ユニット２の取付板６に対する光源モジュール３の取付作業の簡素化を図ることができる。
【００３７】
また、本実施形態の光源ユニット２において、カバーエンド５１は、厚み方向に沿って基板３０の下面に当たる押さえ部５１４を有することが好ましい。
【００３８】
本実施形態の光源ユニット２が上述のように構成されれば、押さえ部５１４によって基板３０の反りを矯正することができる。
【００３９】
さらに、本実施形態の光源ユニット２において、押さえ部５１４は、ベース部５１１から突出するように構成されていることが好ましい。
【００４０】
本実施形態の光源ユニット２が上述のように構成されれば、押さえ部５１４で基板３０を押さえることにより、ベース部５１１の先端を基板３０の端面に確実に当てることができる。
【００４１】
また、本実施形態の光源ユニット２において、取付板６は、光源モジュール３に通電するための電線７１が挿通される挿通孔６７を有することが好ましい。カバーエンド５１は、挿通孔６７の周囲を囲むように構成されることが好ましい。本実施形態の光源ユニット２は、電線７１が挿通されている状態で挿通孔６７を塞ぐ蓋２０を有していることが好ましい。
【００４２】
本実施形態の光源ユニット２が上述のように構成されれば、取付板６の挿通孔６７に挿通された電線７１をカバーエンド５１で保護するができる。さらに、本実施形態の光源ユニット２が上述のように構成されれば、挿通孔６７を蓋２０で塞ぐことによって、虫などの異物が挿通孔６７からカバー５の内側に進入するのを防ぐことができる。
【符号の説明】
【００４３】
１  照明器具
２  光源ユニット
３  光源モジュール
５  カバー
６  取付板
１０  器具本体
２０  蓋
３０  基板
３１  発光ダイオード（固体光源）
３３  取付孔
５０  カバー本体
５１  カバーエンド
６０  取付部
６７  挿通孔
７１  電線
５１１  ベース部（規制部）
５１４  押さえ部
【図１】
0006624566.tif 000002
【図２】
0006624566.tif 000003
【図３】
0006624566.tif 000004
【図４】
0006624566.tif 000005
【図５】
0006624566.tif 000006
【図６】
0006624566.tif 000007